(57)【要約】      （修正有） 【課題】チェーンを収納する空間を省くとともに、収納時にチェーンが絡むことなく、チェーンを遺失することのない、収納と使用に便利なチェーンを収納できるパーティションスタンドを提供する。【解決手段】中空を呈する支柱３１と、支柱の一端に設けるベース３２と、複数の環を連結してなり、かつ支柱に収納するチェーン３３と、によってなるパーティションスタンド３において、支柱のベースを設ける一端とは逆の一端には、外周の対向する位置にそれぞれ開孔３１１を形成し、かつそれぞれの開孔がチェーンの通過口と通過口の底辺から下方に延伸して形成されるチェーンの係合口とによってなるとともに、係合口の直径を通過口の直径より小さくする。【選択図】 図１
0003216453.tif 000002
【実用新案登録請求の範囲】
【請求項１】
中空を呈する支柱と、該支柱の一端に設けるベースと、複数の環を連結してなり、かつ該支柱に収納するチェーンと、によってなるパーティションスタンドにおいて、
該支柱の該ベースを設ける一端とは逆の一端には、外周の対向する位置にそれぞれ開孔を形成し、かつそれぞれの該開孔が通過口と該通過口の底辺から下方に延伸して形成される係合口とによってなるとともに、該係合口の直径が該通過口の直径より小さいことを特徴とするチェーンを収納できるパーティションスタンド。
【請求項２】
前記支柱内に、該チェーンの一端を固定するストッパーを設け、かつ該ストッパーの直径が該通過口の直径より大きいことを特徴とする請求項１に記載のチェーンを収納できるパーティションスタンド。
【考案の詳細な説明】
【技術分野】
【０００１】
この考案はパーティションスタンドに関し、特にチェーンを張設して複数のパーティションスタンドを連結し、かつ張設するチェーンを収納することのできるパーティションスタンドに関するものである。
【背景技術】
【０００２】
パーティションスタンドは、売り場、デパート、映画館、もしくは展覧会の会場などで多く用いられ、進行コースを区画してガイドし、大衆がパーティションで囲繞された範囲内で秩序を維持するように制限し、大衆の出入りを効率よく制御する目的で用いられる。
【０００３】
一般によく見られるパーティションスタンドは、チェーンの両端をそれぞれパーティションスタンドの上端部に挿嵌するか、又はパーティションスタンド自体が固定リングを具え、チェーンの両端を該固定リングに掛止する。係る構成によって、異なる場所の異なる進行コースに合わせて区画するためにパーティションスタンドを配置する位置を調整したり、変更したりする。また、パーティションスタンドとチェーンは繰り返し使用することができる。よって、進行コースをガイドし、大衆を分列させるためにパーティションスタンドとチェーンの組み合わせを選択することは、最も好ましいことである。
【０００４】
異なる場所において、必要性に応じた配置と区分する位置の変更を行なうために、チェーンとパーティションスタンドとは、弾力的な配置の調整を行なう。よって、チェーンとパーティションスタンドとは、別の部材とし、ユーザーは実際のニーズに応じてチェーンとパーティションスタンドとを購買する数を決めることができる。また実際の状況に合わせてチェーンとパーティションスタンドとによって囲繞する方式、範囲を調整することができる。
【０００５】
収納する場合は、パーティションスタンドからチェーンを取り外し収納する。組み合わせる場合は、チェーンとパーティションスタンドとをそれぞれ取り出して組み立てる。但し、係る方式は収納及び組み立てのいずれにおいても不便である。また、チェーンを収納する場合、注意しなければチェーンが絡み、組み立てが困難になり、絡んだチェーンを解くために時間がかかる。仮に、チェーンの体積を小さくすれば、チェーンを遺失する可能性があり、次に使用する場合の不便を招く。よって、これらの欠点は改善が待たれている。    
【考案の概要】
【考案が解決しようとする課題】
【０００６】
この考案は、チェーンを収納する空間を省くとともに、収納時にチェーンが絡むことなく、チェーンを遺失することがなく、収納と使用に便利なチェーンを収納できるパーティションスタンドを提供することを課題とする。
【課題を解決するための手段】
【０００７】
そこで、この考案によるパーティションスタンドは、中空を呈する支柱と、該支柱の一端に設けるベースと、複数の環を連結してなり、かつ該支柱に収納するチェーンと、によってなり、該支柱の該ベースを設ける一端とは逆の一端には、外周の対向する位置にそれぞれ開孔を形成し、かつそれぞれの該開孔が通過口と該通過口の底辺から下方に延伸して形成される係合口とによってなるとともに、該係合口の直径を該通過口の直径より小さくする。
【０００８】
上述の構造によるパーティションスタンドを使用する場合、該支柱に収納された該チェーンを該開孔から外部に引き出す。この場合、該通過口の直径が該係合口の直径より大きいため、該チェーンを該通過口から容易に外部へ引っ張り出すことができる。該チェーンを十分に使用できる長さまで引っ張り出した後、該チェーンの一端の環を該係合口に嵌挿し、他端を他のパーティションスタンドの係合口内に嵌挿して固定する。係る動作によって、複数のパーティションスタンドを連結して設置する作業が完成する。即ち、?支柱は中空を呈し、該チェーンの収納に供し、該通過口と該係合口は該チェーンの出入りと係合に供する。
【図面の簡単な説明】
【０００９】
【図１】この考案よるパーティションスタンドの外観と、その局部を示した説明図である。
【図２】この考案におけるチェーンを引っ張り出す動作を示した説明図である。
【図３】この考案におけるチェーンを引っ張り出す動作を示した他の説明図である。
【図４】この考案におけるチェーンを収納した状態を示した説明図である。
【考案を実施するための形態】
【００１０】
図１に、この考案によるパーティションスタンドの好ましい実施の形態を開示する。図面に開示するように、パーティションスタンド３は、支柱３１と、支柱３１の一端に固定するベース３２と、及び支柱３１内に収納することのできるチェーン３３とによってなる。
【００１１】
支柱３１は中空を呈するとともに、支柱３１のベース３２を設ける一端とは逆の一端には、外周の対向する位置にそれぞれ開孔３１１を形成する。それぞれの開孔３１１は、通過口３１１１と、通過口３１１１の底辺から下方に延伸して形成される係合口３１１２とによってなる。係合口３１１２の直径３１１２ｄは通過口３１１１の直径３１１１ｄより小さくする。
【００１２】
チェーン３３は複数の環３３１を連結してなり、第１端３３２と第２端３３３とを具え、図４に開示するように、支柱３１内にはチェーン３３の任意の一端を固定するストッパー３４を設ける。ストッパー３４の直径は通過口３１１１の直径３１１１ｄより大きくする。
【００１３】
支柱３１にストッパー３４を内設し、かつチェーン３３の第1端３３２をストッパー３４に固定する実施形態を前提として、以下に述べる。
【００１４】
図２に開示するように、この考案によるパーティションスタンドを使用する場合、支柱３１に収納されたチェーン３３を開孔３１１から外部に引き出す。即ち、チェーン３３の第２端３３３を手で持ち、開孔３１１から外方向にチェーン３３を引っ張って出す。この場合、通過口３１１１の直径３１１ｄが係合口３１１２の直径３１１２ｄより大きく、かつ通過口３１１１を係合口３１１２上に形成するため、チェーン３３を通過口３１１１から上方に向かって引っ張ることによって、チェーン３３を通過口３１１から容易に外部へ引っ張り出すことができる。
【００１５】
図３に開示するように、チェーン３３を十分に使用できる長さまで引っ張り出した後、チェーン３３の環３３１を係合口３１１２に嵌挿する。この場合、環３１１は重力の影響を受けて、係合口３１１２に係合して固定された状態となる。さらに、チェーン３３の第２端３３３を他のパーティションスタンド３の開孔３１１内に入れ、同時にチェーン３３の第２端３３３の環３３１を他のパーティションスタンド３の係合口３１１２内に嵌挿して固定する。係る動作によって、複数のパーティションスタンド３を連結して設置する作業が完成する。
【００１６】
また、チェーン３３の第１端３２２はストッパー３４に固定する。ストッパー３４の直径は通過口３１１１の直径３１１１ｄより大きい。よって、チェーン３３の第１端３３２は支柱３１から完全に引き出されることはなく、即ち、第１端３３２はストッパー３４によって開孔３１１に当接した状態で止まり、チェーン３４が完全に抜け落ちることはない。支柱３１とチェーン３３との組み合わせの形態は、実際の使用状況に応じて変更してもよい。また、環３３１と係合口４１１２とを係合させて固定し、かつ複数の支柱３を用いて囲繞する範囲を拡大することができ、使用上の利便性が得られる。
【００１７】
図４に開示するように、チェーン３３を収納する場合は、チェーン３３の第２端３３３の環３３１を係合する他のパーティションスタンド３の支柱３１の係合口３１１２から外して係合状態を解除し、チェーン３３を通過口３１１から支柱３１内に収納する。最後に、チェーン３３の第２端３３３を本来の支柱３１の係合口３１１２に係合させて固定する。よって、チェーン３３を別途収納するための空間を省くことができ、チェーン３３が絡んだり、又はチェーン３３を遺失したりすることがない。同時に、次の使用時にチェーン３３を取り出して使用するのに便利であり、収納と使用のいずれにおいても利便性が得られる。
【００１８】
以上をまとめると、この考案によるパーティションスタンドは、支柱にチェーンを収納し、該支柱に形成する開孔の通過口の直径を係合口の直径より大きくすることで、チェーンを通過口から容易に取り出すことができ、かつ係合口に係合させて固定することができる。したがって、使用上の操作が簡易、かつ便利であって、チェーンを別途収納する空間を省くことができ、チェーンが絡んだり、又はチェーンを遺失したりすることもなく、収納と使用上の利便性が得られる。
【符号の説明】
【００１９】
３          パーティションスタンド
３１        支柱
３１１      開孔
３１１１    通過口
３１１２    係合口
３１１１ｄ  通過口直径
３１１２ｄ  係合口直径
３２        ベース
３３        チェーン
３３１      環
３３２      第１端
３３３      第２端
【図１】
0003216453.tif 000003
【図２】
0003216453.tif 000004
【図３】
0003216453.tif 000005
【図４】
0003216453.tif 000006